(57)【要約】【課題】被圧縮物を湾曲させることなくきれいに圧縮し、作業現場の環境に左右されることなく使用できるようにする。【解決手段】手元操作部２、一対の把持片１１，１３、把持片操作部２０を有する把持具Ｂと、一対のアーム３０，３５、アーム３０，３５の各先端部に設けられたダイス３３，３６、アーム操作部３７，４５を有する圧縮工具Ｃと、把持片１１，１３が着脱自在に取り付けられる把持片取付部６２，６３、アーム３０，３５が着脱自在に取り付けられる圧縮工具取付部８０、各把持片１１，１３による接離動作をアーム操作部３７，４５に伝達させる伝達機構部７０が配置された支持板６０を有する連結アダプタＤとを備える。【選択図】図１
2011182549.tif 000002
【特許請求の範囲】
【請求項１】
手元に設けられた手元操作部（２）、手元操作部（２）に対して遠隔の位置に設けられると共に、互いの先端部が接離するように回動支持される一対の把持片（１１，１３）、手元操作部（２）の操作によって、各把持片（１１，１３）の先端部に設けられた把持部（１１ａ，１３ａ）が相対的に接離するように、各把持片（１１，１３）を操作する把持片操作部（２０）を有する把持具（Ｂ）と、
互いの先端部が接離するように回動支持される一対のアーム（３０，３５）、各アーム（３０，３５）の先端部に設けられた、被圧縮物を圧縮するための一対のダイス（３３，３６）、各ダイス（３３，３６）が相対的に接離するようにアーム（３０，３５）を操作するアーム操作部（３７，４５）を有する圧縮工具（Ｃ）と、
把持片（１１，１３）が着脱自在に取り付けられる把持片取付部（６２，６３）、アーム（３０，３５）が着脱自在に取り付けられる圧縮工具取付部（８０）、各把持片（１１，１３）による接離動作をアーム操作部（３７，４５）に伝達させる伝達機構部（７０，７００）が配置された支持板（６０）を有する連結アダプタ（Ｄ１，Ｄ２）とを備えたことを特徴とする圧縮装置。
【請求項２】
前記圧縮工具取付部（８０）は、被圧縮物に対する圧縮位置を角度調整できるように角度調整部により構成されることを特徴とする請求項１に記載の圧縮装置。
【請求項３】
前記把持片取付部（６２，６３）は、各把持片（１１，１３）の把持部（１１ａ，１３ａ）が着脱できるように、且つ、各把持部（１１ａ，１３ａ）の接離動作に応じて移動できるように構成される接続部材（６２，６３）を備えたことを特徴とする請求項１又は２に記載の圧縮装置。
【請求項４】
前記伝達機構部（７０）は、圧縮動作に必要とされるストロークを稼ぐべく、支持板（６０）に配置された複数の滑車（７２〜７４）と、該各滑車（７２〜７４）に巻き掛けられ、一端部が一方の把持片取付部（６２）に連結されると共に、他端部がアーム操作部（４５）に連結される紐状体（７６，７７）とを有することを特徴とする請求項１乃至３のいずれか１項に記載の圧縮装置。
【請求項５】
前記伝達機構部（７００）は、ワイヤ（９７）がチューブ（９６）内に挿通されるインナーワイヤ（９５）を備え、該ワイヤ（９７）は、一端部が一方の把持片取付部（６２）に連結されると共に、他端部がアーム操作部（４５）に連結されることを特徴とする請求項１乃至３のいずれか１項に記載の圧縮装置。
【請求項６】
手元に設けられた手元操作部（２）、手元操作部（２）に対して遠隔の位置に設けられると共に、互いの先端部が接離するように回動支持される一対の把持片（１１，１３）、手元操作部（２）の操作によって、各把持片（１１，１３）の先端部に設けられた把持部（１１ａ，１３ａ）が相対的に接離するように、各把持片（１１，１３）を操作する把持片操作部（２０）を有する把持具（Ｂ）と、
互いの先端部が接離するように回動支持される一対のアーム（３０，３５）、各アーム（３０，３５）の先端部に設けられた、被圧縮物を圧縮するための一対のダイス（３３，３６）、各ダイス（３３，３６）が相対的に接離するようにアーム（３０，３５）を操作するアーム操作部（３７，４５）を有する圧縮工具（Ｃ）とを連結する連結アダプタであって、
把持片（１１，１３）が着脱自在に取り付けられる把持片取付部（６２，６３）と、アーム（３０，３５）が着脱自在に取り付けられる圧縮工具取付部（８０）と、各把持片（１１，１３）による接離動作を、アーム操作部（３７，４５）に伝達させる伝達機構部（７０，７００）とが配置された支持板（６０）を有することを特徴とする連結アダプタ。
【請求項７】
前記圧縮工具取付部（８０）は、被圧縮物に対する圧縮位置を角度調整できるように角度調整部により構成されることを特徴とする請求項６に記載の連結アダプタ。
【請求項８】
前記把持片取付部（６２，６３）は、各把持片（１１，１３）の把持部（１１ａ，１３ａ）が着脱できるように、且つ、各把持部（１１ａ，１３ａ）の接離動作に応じて接離するように構成される接続部材（６２，６３）を備えたことを特徴とする請求項６又は７に記載の連結アダプタ。
【請求項９】
前記伝達機構部（７０）は、圧縮動作に必要とされるストロークを稼ぐべく、支持板（６０）に配置された複数の滑車（７２〜７４）と、該各滑車（７２〜７４）に巻き掛けられ、一端部が一方の把持片取付部（６２）に連結されると共に、他端部がアーム操作部（３７，４５）に連結される紐状体（７６，７７）とを有することを特徴とする請求項６乃至８のいずれか１項に記載の連結アダプタ。
【請求項１０】
前記伝達機構部（７００）は、ワイヤ（９７）がチューブ（９６）内に挿通されるインナーワイヤ（９５）を備え、該ワイヤ（９７）は、一端部が一方の把持片取付部（６２）に連結されると共に、他端部が圧縮工具（Ｃ）のアーム操作部（３７，４５）に連結されることを特徴とする請求項６乃至８のいずれか１項に記載の連結アダプタ。
【請求項１１】
手元に設けられた手元操作部（２）と、手元操作部（２）に対して遠隔の位置において、互いの先端部が接離するように回動支持される一対のアーム（３０，３５）、各アーム（３０，３５）の先端部に設けられた、被圧縮物を圧縮するための一対のダイス（３３，３６）、各ダイス（３３，３６）が相対的に接離するように、手元操作部（２）の操作に応じてアーム（３０，３５）を連動させる伝達機構部（１４０）が配置される支持板（６００）とを備えることを特徴とする圧縮装置。
【発明の詳細な説明】
【技術分野】
【０００１】
本発明は、断線した電線を接続する場合、架設状態の電線を分岐する場合、接続しなおす場合に使用する接続スリーブを、間接活線用工具によって遠隔から圧縮できるようにした圧縮装置およびその連結アダプタに関する。
【背景技術】
【０００２】
従来の圧縮装置としては、例えば、遠隔から間接的に電線を把持する把持具（所謂ヤットコ）と、絶縁被覆が剥離された電線の対向端部の導体部が挿入された被圧縮物としての接続スリーブを、一対のダイスを接離させて圧縮する圧縮工具と、把持具及び圧縮工具を連結する連結アダプタとを備えているものが公知になっている（特許文献１参照）。
【０００３】
該圧縮装置の使用態様について、断線した電線を接続する場合を例にとって説明する。まず、断線した電線の傷んだ部分を切断除去し、電線の対向端部の被覆部材を剥離して導体部を露出させる。そして、一方の電線の導体部に接続スリーブの一端部を挿入する。
【０００４】
この状態で、一方の作業者が、圧縮装置の把持部を操作して電線を把持すると共に、接続スリーブの外周面の近傍に各ダイスを配置させて、各ダイスを接離させる操作機構部に連結された水平方向の操作棒に、別途用意されたフック付き間接活線用操作棒を引っ掛けて、操作棒を下方へ引き下げて、接続スリーブを圧縮し、一方の導体部と接続スリーブを電気的に接続する。その後、汎用のヤットコによって、他方の導体部に接続スリーブの他端部を挿入して、前記と同様に、圧縮装置で接続スリーブの他端部を圧縮する。
【０００５】
また、他の従来の圧縮装置としては、高所作業車のサブブームの先端部に取り付けられたアーム部材と、該アーム部材の先端部に取り付けられて電線を把持する把持部材と、電線を把持した状態で、該電線に対して平行（水平）になるように、把持部材の側面から外方に延出された支持部材とを備えものが公知になっている（特許文献２参照）。
【０００６】
該圧縮装置の使用態様について、前記と同様に、断線した電線を接続する場合を例にとって説明すると、絶縁性の支持棒に取り付けられると共に、油圧ポンプに接続された圧縮工具と、上述の圧縮装置が搭載された高所作業車とを予め準備する。つぎに、高所作業車の作業台に作業者を乗せて、断線された電線の位置に作業台を上昇させる。そして、断線された電線の対向端部の被覆部材を剥離して導体部を露出させ、接続スリーブの両側の開口端部に対向する導体部を挿入する。
【０００７】
この状態で、接続スリーブの外周面を、圧縮工具の固定部と可動部とによって挟持して、油圧ポンプを作動させて、固定部に可動部を近接させて、接続スリーブを圧縮し、切断された電線の対向端部を電気的に接続する。
【先行技術文献】
【特許文献】
【０００８】
【特許文献１】特開２００８−１２５２９１号公報
【特許文献２】特開２０００−１４３１９０号公報
【発明の概要】
【発明が解決しようとする課題】
【０００９】
しかしながら、従来の上記圧縮装置において、前者の場合、圧縮装置によって接続スリーブの圧縮作業を行う際、一対のダイスを操作する操作機構部に連結された水平方向の操作棒を、フック付き間接活線用操作棒を引っ掛けて引き下げているので、接続スリーブの端部に対して偏った力が作用することになり、接続スリーブが湾曲してしまうこともあるという問題がある。
【００１０】
また、後者の場合、高所作業車が必須要件であるため、山間部や幅の狭い道路など、高所作業車が搬入できない場所では、適用できないという問題がある。
【００１１】
本発明は、このような実情に鑑みてなされ、圧縮工具に対して引き下げ操作することなく、被圧縮物を湾曲させることなくきれいに圧縮できて、しかも、作業現場の環境に左右されることなく使用できるようにした圧縮装置およびその連結アダプタを提供することを目的とする。
【課題を解決するための手段】
【００１２】
本発明に係る圧縮装置は、手元に設けられた手元操作部２、手元操作部２に対して遠隔の位置に設けられると共に、互いの先端部が接離するように回動支持される一対の把持片１１，１３、手元操作部２の操作によって、各把持片１１，１３の先端部に設けられた把持部１１ａ，１３ａが相対的に接離するように、各把持片１１，１３を操作する把持片操作部２０を有する把持具Ｂと、互いの先端部が接離するように回動支持される一対のアーム３０，３５、各アーム３０，３５の先端部に設けられた、被圧縮物を圧縮するための一対のダイス３３，３６、各ダイス３３，３６が相対的に接離するようにアーム３０，３５を操作するアーム操作部３７，４５を有する圧縮工具Ｃと、把持片１１，１３が着脱自在に取り付けられる把持片取付部６２，６３、アーム３０，３５が着脱自在に取り付けられる圧縮工具取付部８０、各把持片１１，１３による接離動作をアーム操作部３７，４５に伝達させる伝達機構部７０，７００が配置された支持板６０を有する連結アダプタＤ１，Ｄ２とを備えたことを特徴とする。
【００１３】
この場合、支持板６０，９０に配置された把持片取付部６２，６３及び圧縮工具取付部８０によって、把持片１１，１３と圧縮工具Ｃとが取り付けられる一方、把持具Ｂの手元操作部２を操作することで、把持片１１，１３の把持部１１ａ，１３ａが接離動作することになり、この接離動作が伝達機構部７０，７００を介してアーム操作部３７，４５が連動して、圧縮工具Ｃの各ダイス３３，３６が接離するようになり、各ダイス３３，３６の間に挿入される遠隔位置の被圧縮物を圧縮することができる。即ち、圧縮工具Ｃのアーム操作部３７，４５を遠隔から直接操作するのではなく、手元の操作力を、圧縮工具Ｃのアーム操作部３７，４５と同一面内（近傍位置）に配置された伝達機構部７０，７００を介して、遠隔位置のアーム操作機後部３７，４５に伝達させて、該アーム操作機後部３７，４５を近傍位置から間接的に操作することができる。したがって、被圧縮物に対して略均等に圧縮力が作用するようになり、湾曲することなく、きれいに圧縮することができる。
【００１４】
また、本発明によれば、前記圧縮工具取付部８０を、被圧縮物に対する圧縮位置を角度調整できるように角度調整部により構成するようにしてもよい。
【００１５】
この場合、各ダイス３３，３６の間に設定される、被圧縮物に対する圧縮位置を角度調整できるようになる。即ち、被圧縮物の位置に関係なく、容易に圧縮することができる。
【００１６】
また、本発明によれば、前記把持片取付部６２，６３を、各把持片１１，１３の把持部１１ａ，１３ａが着脱できるように、且つ、各把持部１１ａ，１３ａの接離動作に応じて移動する接続部材により構成するようにしてもよい。
【００１７】
この場合、既存の把持具Ｂの把持片１１，１３を容易に接続部材６２，６３に接続することができると共に、把持片１１，１３の接離動作を円滑に行えるようになる。
【００１８】
また、本発明によれば、前記伝達機構部７０において、圧縮動作に必要とされるストロークを稼ぐべく、支持板６０に配置された複数の滑車７２〜７４と、該各滑車７２〜７４に巻き掛けられ、一端部が一方の把持片１１に連結されると共に、他端部がアーム操作部４５に連結される紐状体７６，７７とを有するような構成を採用することもできる。
【００１９】
この場合、圧縮動作において必要とされるストロークを、複数の滑車７２〜７４と、該各滑車７２〜７４に巻き掛けられた紐状体７６，７７によって稼ぐようにしたので、遠隔の位置から容易に圧縮作業を行うことができるようになる。
【００２０】
また、本発明によれば、前記伝達機構部７００において、ワイヤ９７がチューブ９６内に挿通されるインナーワイヤ９５を備え、該ワイヤ９７の一端部を、一方の把持片１１に連結すると共に、他端部を、アーム操作部４５に連結するような構成を採用することもできる。
【００２１】
この場合、チューブ９６内に挿通されるワイヤ９７が、把持片１１，１３の接離動作に応じて引っ張られたり、元の位置に戻されたりするようになり、所望の圧縮動作を実現できるようになる。
【００２２】
また、本発明に係る連結アダプタによれば、手元に設けられた手元操作部２、手元操作部２に対して遠隔の位置に設けられると共に、互いの先端部が接離するように回動支持される一対の把持片１１，１３、手元操作部２の操作によって、各把持片１１，１３の先端部に設けられた把持部１１ａ，１３ａが相対的に接離するように、各把持片１１，１３を操作する把持片操作部２０を有する把持具Ｂと、互いの先端部が接離するように回動支持される一対のアーム３０，３５、各アーム３０，３５の先端部に設けられた、被圧縮物を圧縮するための一対のダイス３３，３６、各ダイス３３，３６が相対的に接離するようにアーム３０，３５を操作するアーム操作部２０を有する圧縮工具Ｃとを連結する連結アダプタであって、把持片１１，１３が着脱自在に取り付けられる把持片取付部６２，６３と、アーム３０，３５が着脱自在に取り付けられる圧縮工具取付部８０と、各把持片１１，１３による接離動作を、アーム操作部３７，４５に伝達させる伝達機構部７０，７００とが配置された支持板６０を有することを特徴とする。
【００２３】
この場合、既存の把持具Ｂと圧縮工具Ｃとを、支持板６０，６００に配置された把持片取付部６２，６３及び圧縮工具取付部８０に取り付けることができるので、圧縮装置Ａを容易に組み立てることができる。一方、支持板６０，６００に配置された伝達機構部７０，７００によって、把持具Ｂにおける手元操作によって、圧縮工具Ｃを操作することができるようになり、遠隔位置の被圧縮物を容易に圧縮することができる。
【００２４】
また、本発明によれば、前記圧縮工具取付部８０は、被圧縮物に対する圧縮位置を角度調整できるように角度調整部により構成するようにしてもよい。
【００２５】
この場合、各ダイス３３，３６の間に設定される、被圧縮物に対する圧縮位置を角度調整できるようになる。即ち、被圧縮物の位置に関係なく、容易に圧縮することができる。
【００２６】
また、本発明によれば、前記把持片取付部６２，６３を、各把持片１１，１３の把持部１１ａ，１３ａが着脱できるように、且つ、各把持部１１ａ，１３ａの接離動作に応じて接離する接続部材６２，６３により構成するようにしてもよい。
【００２７】
この場合、把持片１１，１３を接続部材６２，６３に容易に接続することができると共に、把持片１１，１３の接離動作を円滑に行えるようになる。
【００２８】
また、本発明によれば、前記伝達機構部７０において、圧縮動作に必要とされるストロークを稼ぐべく、支持板６０に配置された複数の滑車７２〜７４と、該各滑車７２〜７４に巻き掛けられ、一端部が一方の把持片１１に連結されると共に、他端部がアーム操作部３７，４５に連結される紐状体７６，７７とを有するような構成を採用することもできる。
【００２９】
この場合、圧縮動作において必要とされるストロークを、複数の滑車７２〜７４と、該各滑車７２〜７４に巻き掛けられた紐状体７６，７７によって稼ぐようにしたので、遠隔の位置から容易に圧縮作業を行うことができるようになる。
【００３０】
また、本発明によれば、前記伝達機構部７００において、ワイヤ９７がチューブ９６内に挿通されるインナーワイヤ９５を備え、該ワイヤ９７の一端部を一方の把持片１１に連結すると共に、他端部を圧縮工具Ｃのアーム操作部３７，４５に連結するような構成を採用することもできる。
【００３１】
この場合、インナーワイヤ９５のワイヤ９７が、把持片１１，１３の接離動作に応じて引っ張られたり、元の位置に戻されたりするようになり、所望の圧縮動作を実現できるようになる。
【００３２】
また、本発明に係る圧縮装置は、手元に設けられた手元操作部２と、手元操作部２に対して遠隔の位置において、互いの先端部が接離するように回動支持される一対のアーム３０，３５、各アーム３０，３５の先端部に設けられた、被圧縮物を圧縮するための一対のダイス３３，３６、各ダイス３３，３６が相対的に接離するように、手元操作部２の操作に応じてアーム３０，３５を連動させる伝達機構部１４０が配置される支持板６００とを備えることを特徴とする。
【００３３】
この場合、既存の把持具Ｂと圧縮工具Ｃとを別途用意することなく、遠隔位置の被圧縮物を、手元の操作で圧縮することができる。
【発明の効果】
【００３４】
本発明によれば、遠隔に位置する圧縮工具のアーム操作部に、同一面内に配置された把持具の把持片による接離動作を伝達機構部を介して伝達させることによって、近傍位置から間接的に操作するようにしたので、被圧縮物に対して略均等に力が作用するようになり、被圧縮物をきれいに圧縮することができる。
【図面の簡単な説明】
【００３５】
【図１】本発明の第１実施形態に係る圧縮装置の要部を示す正面図。
【図２】圧縮装置の全体を示す正面図。
【図３】圧縮工具の構成を示す正面図。
【図４】図１の平面図。
【図５】図１の背面図。
【図６】（ａ）は連結アダプタを示す斜視図、（ｂ）は連結アダプタの断面図。
【図７】（ａ）はガイド部材を示す斜視図、（ｂ）は連結アダプタがガイド部材に遊挿された状態を示す断面図。
【図８】本発明の第２実施形態に係る圧縮装置の要部を示す正面図。
【図９】圧縮装置の全体を示す正面図。
【図１０】図８の背面図。
【図１１】インナーワイヤにおけるワイヤの接続部位を示す断面図。
【図１２】他の実施形態の圧縮装置の構成を示す正面図。
【発明を実施するための形態】
【００３６】
以下、本発明の実施形態に係る圧縮装置について図１〜図１２を参照しつつ詳細に説明する。なお、第１及び第２実施形態においては、切断された電線を接続スリーブ（被圧縮物）によって接続することを例にとって説明する。
【００３７】
（第１実施形態）
本発明の第１実施形態に係る圧縮装置Ａ１は、図１及び図２に示すように、手元に設けられた手元操作部２、手元操作部２に対して遠隔の位置に設けられると共に、互いの先端部が接離するように回動支持される一対の把持片１１，１３、手元操作部２の操作によって、各把持片１１，１３の先端部に形成された把持部１１ａ，１３ａが相対的に接離するように構成される把持片操作部２０を有する把持具Ｂと、互いの先端部が接離するように回動支持される一対のアーム３０，３５と、各アーム３０，３５の先端部に設けられた、被圧縮物を圧縮するための一対のダイス３３，３６、各ダイス３３，３６が相対的に接離するように各アーム３０，３５を操作するアーム操作部３７，４５を有する圧縮工具Ｂと、把持片１１，１３が着脱自在に取り付けられる把持片取付部６１（６２，６３）、固定アーム３０が着脱自在に取り付けられる圧縮工具取付部８０、各把持片１１，１３による接離動作をアーム操作部３７，４５に伝達させる伝達機構部７０が配置された支持板６０を有する連結アダプタＤ１とを備えている。
【００３８】
把持具Ｂは、図１及び図２に示すように、既存のヤットコであり、絶縁性の主軸１と、この主軸１の基部に取り付けた手元操作部２と、主軸１の先端部に設けられた把持具ユニット１０と、後述する把持具ユニット１０の可動側把持片１３を固定側把持片１１側に接離させるように構成される把持片操作部２０とを備えている。
【００３９】
主軸１は、図２に示すように、絶縁性のパイプで、中間部に複数の樹脂製の絶縁傘３を嵌合固定し、基端部にゴムキャップ４を取り付けている。
【００４０】
手元操作部２は、主軸１の基部に設けられた固定具６と、この固定具６に回動可能に連結された略Ｌ字形状の操作レバー７と、この操作レバー７を固定具６に対し常に回動方向ｂとは反対側に付勢する鶴巻バネ８とから構成される。そして、操作レバー７は、連結部９に回動可能に連結されている。
【００４１】
把持具ユニット１０は、基部を主軸１の先端部に嵌合し固定された固定側把持片１１と、中間部を固定側把持片１１の中間部に支軸１２で方向ａに回動可能に連結された可動側把持片１３とから構成されている。
【００４２】
固定側把持片１１には、先端に物を挟むための把持部１１ａが設けられ、中間部に、後述する連結軸２１の先端ジョイント２２を部分的に収納する空間部が設けられている（図示せず）。
【００４３】
可動側把持片１３には、固定側把持片１１と同様に、先端に物を挟むための把持部１３ａが設けられ、基端部に連結軸２１が連結されている。そして、操作レバー７を手動操作することで、連結軸２１を介して固定側把持片１１に対して可動側把持片１３を接離させることができる。
【００４４】
固定側及び可動側把持片１１，１３の把持部１１ａ，１３ａには、後述する固定側及び可動側把持片１１，１３の取付部としての接続部材６２，６３が着脱できるように、物を把持する面と反対面（表面）に凹部が形成されている（図示せず）。
【００４５】
把持片操作部２０は、連結軸２１から構成される。
【００４６】
連結軸２１は、手元操作部２の操作レバー７と連結された絶縁性のパイプからなり、このパイプの先端に固定された先端ジョイント２２と、このパイプの基端に基端ジョイント２３と、中途部に設けられた絶縁傘３とを有している。
【００４７】
先端ジョイント２２には、先端側に可動側把持片１３の基端部が回動可能に連結されており、手元操作部２の操作レバー７を開放している時に鶴巻きバネ８の復元力によって、操作レバー７の開放時に固定側把持片１１に対して可動側把持片１３が離間する。基端ジョイント２３には、手元操作部２の操作レバー７の連結部９が回動可能に連結されている。
【００４８】
つぎに圧縮工具Ｃについて説明する。該圧縮工具Ｃは、図３に示すように、既存の圧縮ペンチであり、基端部に後述するリンク機構部４５が連結されると共に、先端部に固定圧縮部３１が設けられた固定アーム３０と、後述する固定圧縮部３１の固定ダイス３３に対して接離する可動ダイス３６が先端部に固設された第１可動アーム３５と、該第１可動アーム３５に先端部が連結された第２可動アーム３７と、固定アーム３５及び第２可動アーム３７の中途部の内側に跨って設けられた圧縮状態を保持・解除するロック・解除機構部４０と、固定アーム３０及び第２可動アーム３７の基端部に連結されて、可動ダイス３６を固定ダイス３３に接離させるリンク機構部４５と、固定アーム３０の中途部の外縁部に取り付けられる連結フレーム５５とで構成されている。
【００４９】
固定アーム３０は、基端部に、後述するリンク機構部４５の第１リンク４６が回動支持され、先端部に、後述する第１可動アーム３５の中途部が回動支持され、この回動支持部の上方に、接続スリーブを圧縮するための固定圧縮部３１が設けられている。該固定圧縮部３１は、中心部が可動支持された平面視略正方形状の回動板３２と、該回動板３２の各側面に取り付けられた大きさの異なる固定ダイス３３，３３と、該各固定ダイス３３，３３の中央部に、接続スリーブを圧縮する方向に向かうに従って深くなる凹部３４が形成されており、接続スリーブの外径に合った固定ダイス３３が切り換えできるようになっている。
【００５０】
第１可動アーム３５は、正面視略三角形状を呈しており、可動ダイス３６が設けられた短辺部３５ａと、内側に位置する傾斜部３５ｂと、外側に位置する長辺部３５ｃとを有している。そして、固定アーム３０の中途部に、短辺部３５ａと傾斜部３５ｂとで形成される角部が回動支持され、第２可動アーム３７の先端部に、傾斜部３５ｂと長辺部３５ｃとで形成される角部が回動支持されている。また、可動ダイス３６の中央部に、接続スリーブを圧縮する方向に向かうに従って深くなる凹部３６ａが形成されている。
【００５１】
第２可動アーム３７は、基端部が、後述するリンク機構部４５の第２リンク４７に連結され、先端部が第１可動アーム３５に連結され、中途部がロック・解除機構部４０に連結されている。そして、固定アーム３０の基端部に対する第２可動アーム３７の基端部の開度は、固定ダイス３３に対する可動ダイス３６の開度、即ち接続スリーブを確実に圧縮できるストロークを確保できるように形成されている。
【００５２】
ロック・解除機構部４０は、詳細には図示していないが、接続スリーブが固定及び可動ダイス３３，３６の間に挿入されて、後述するリンク機構部４５の操作アーム４９の回動操作によって、一旦圧縮動作が開始されると、可動ダイス３６は、ラチェット歯４１に係止爪４２が係止するように構成されており、可動ダイス３６の戻りが防止されるようになっている。即ち、ラチェット歯４１に係止爪４２が一旦係止すると、ラチェット歯４１に対して係止爪４２の係止が解除されない限り、接続スリーブに対する圧縮荷重は常に係っていることになる。なお、図中の符号４３は、ラチェット歯４１に対する係止爪４２の係止を解除する解除ピンである。
【００５３】
リンク機構部４５は、一端部が固定アーム３０に連結された第１リンク４６の他端部と、一端部が第２可動アーム３７に連結された第２リンク４７の他端部とが連結されている。そして、第１及び第２リンク４６，４７の連結部には、鶴巻バネ４８が巻回されており、固定アーム３０に対して第２可動アーム３７が開方向に常に弾性付勢されている。さらに、第２リンク４７と第２可動アーム３７の連結部には、外方に向かって延出された操作アーム４９が水平方向に回動支持されており、該操作アーム４９の先端部には、係止リング５０が取り付けられている。そして、係止リング５０を介して操作アーム４９を下方に引き下げると、該操作アーム４９を介して、第２可動アーム３７が固定アーム３０に対して近接するように回動すると共に、第１可動アーム３５の可動ダイス３６が、固定アーム３０の固定ダイス３３に近接するように回動することになる。即ち、操作アーム４９の引き下げによって、圧縮動作が開始されることになる。そして、第２可動アーム３７及びリンク機構部４５によって、アーム操作部が構成される。
【００５４】
連結フレーム５５は、正面視略Ｌ字形状を呈しており、下端部５５ａが二股状に形成されて、後述する支持板６０の他側の下部に連結されると共に、上端部５５ｂが固定アーム３０に連結されている。具体的には、連結フレーム５５の下端部５５ａ及び支持板６０の他側の上部には、放射状に凸部が形成された角度調整部としての菊座５６，８１が設けられており、接続スリーブの位置に応じて連結フレーム５５を角度調整できるように構成されている。通常は、連結フレーム５５の一端部が支持板６０に連結されることによって、固定アーム３０が鉛直方向に支持されて、固定及び可動ダイス３３，３６が下方に位置すると共に、リンク機構部４５が上方に位置することになる。
【００５５】
つぎに連結アダプタＤ１について図１、図４〜図７を参照して説明する。該連結アダプタＤ１は、上述したように、把持片取付部６１（６２，６３）、圧縮工具取付部（角度調整部）８０、伝達機構部７０が配置された支持板６０を有している。該支持板６０は、一側（図１を正面から見て左側）が幅狭で、他側（図１を正面から見て右側）が幅広に形成されており、支持板６０の下側に、固定側把持片１１及び可動側把持片１３を着脱自在に取り付ける把持片取付部６１（６２，６３）と、固定側把持片１１に対する可動側把持片１３の移動をガイドするガイド部６５とが配置されている。そして、支持板６０の両側に伝達機構部７０の滑車ユニット７１が配置され、支持板６０の右側上部に、圧縮工具取付部として、圧縮工具Ｃの角度調整部（菊座５６，８１）が配置されている。また、支持板６０には、後述するガイド部６５の第１ガイド溝６７ａに連通する円弧状の連通孔６０ａが形成されている。
【００５６】
把持片取付部６１（６２，６３）は、可動側把持片取付部６２と、固定側把持片取付部６３とを有しており、何れの構成も同一であり、図６（ａ）、（ｂ）に示すように、空洞部６２ｂ（６３ｂ）に固定側及び可動側把持片１１，１３が挿入できるように、一面が開口された中空の直方体形状の本体６２ａ（６３ａ）と、該本体６２ａ（６３ａ）の側面から外方に延出された挿通部６２ｃ（６３ｃ）と、該挿通部６２ｃ（６３ｃ）に内挿されたバネ６２ｄ（６３ｄ）と、該バネ６２ｄ（６３ｄ）によって、挿通部６２ｃ（６３ｃ）に挿通された先端部が本体６２ａ（６３ａ）の空洞部６２ｂ（６３ｂ）に位置するように付勢された係止ピン６２ｅ（６３ｅ）と、該係止ピン６２ｅ（６３ｅ）の上方に形成された紐状体７５の挿通孔６２ｆ（６３ｆ）とを有している。そして、可動側把持片取付部６２の場合のみ、挿通部６２ｃ（６３ｃ）に対して直交方向の壁面に先端部のネジ部が螺合すると共に、該壁面に螺合した状態で、軸部が後述するガイド部６５の第１ガイド溝６７ａに遊挿されるガイドピン６２ｇを有している。
【００５７】
ガイド部６５は、図７に示すように、幅広の円弧状の後壁部６５ａと、該後壁部６５ａの上端部から水平方向に延出された周壁部６５ｂと、該周壁部６５ｂの端部から、該端部に沿って垂下された幅狭の前壁部６５ｃとを有している。後壁部６５ａには、可動側把持片取付部６２のガイドピン６２ｇの軸部が移動できるように第１ガイド溝６７ａが形成され、周壁部６５ｂには、可動側把持片１３の移動による第１紐状体７６の移動をガイドする第２ガイド溝６８ａが形成されている。
【００５８】
伝達機構部７０は、図１、図４及び図５に示すように、圧縮動作に必要とされるストロークを稼ぐべく、支持板６０に配置された複数の滑車７２〜７４からなる滑車ユニット７１と、該各滑車７２〜７４に巻き掛けられ、一端部が可動側把持片１３に連結されると共に、他端部が圧縮工具Ｃの係止リング５０に連結される紐状体７５とを有している。
【００５９】
滑車ユニット７１は、支持板６０の一側（図１を正面から見て左側）に配置された小径の第１滑車７２と、該第１滑車７２に同心状に配置された大径の第２滑車７３と、支持板６０の他側部に配置された圧縮工具Ｃの連結フレーム５５の上部に配置された第３滑車７４とを有している。
【００６０】
紐状体７５は、一端部が可動側把持片取付部６２に固着され、他端部が第１滑車７２の溝に巻き掛けられて固着された第１紐状体７６と、一端部が第２滑車７３に固着されると共に、第２滑車７３の溝に巻き掛けられた後、第３滑車７４の下側の溝にあてがわれて、テンションが掛けられた状態で圧縮工具Ｃの係止リング５０に連結された第２紐状体７７とを有している。そして、可動側把持片１３が固定側把持片１１に近接するように回動すると、第１及び第２滑車７２，７３が同時に回動し、圧縮工具Ｃの操作アーム４９が下方に向かって回動することになる。即ち、圧縮動作が開始されることになる。
【００６１】
角度調整部８０は、上述したように、圧縮工具Ｃの連結フレーム５５の下端部及び支持板６０の他側の下部に、放射状に形成された凸部を有する菊座５６，８１によって構成されている。菊座８１の中心部から突設されるネジ軸８２には、蝶ネジ８３が螺合しており、所定の位置で、圧縮工具Ｃの連結フレーム５５を固定することができるようになっている。
【００６２】
つぎに第１実施形態に係る圧縮装置Ａ１の使用態様について説明する。図１の状態で使用される。即ち、連結アダプタＤ１には、可動側把持片１３のガイドピン６２ｇが、ガイド部６５の第１ガイド溝６７ａに遊挿されて、移動自在の状態にあり、固定側把持片取付部６３と可動側把持片取付部６２とに、把持具Ｂの固定側及び可動側把持片１１，１３が開状態で挿入されると共に、該挿入が係止ピン６２ｅ，６３ｅによって維持されている。そして、圧縮工具Ｃの固定及び可動ダイス３３，３６も離間した状態にあって、第１及び第２紐状体７６，７７はテンションが掛かった状態で張設されている。
【００６３】
断線した電線を接続する場合、断線した電線の傷んだ部分を切断除去し、電線の対向端部の被覆部材を剥離して導体部を露出させる。そして、一方の作業者が、汎用のヤットコを用いて、一方の電線の導体部に接続スリーブの一端部を挿入する（図示せず）。
【００６４】
この状態で、他方の作業者が、接続スリーブの一端部の外周面近傍に、圧縮工具Ｃの固定及び可動ダイス３３，３６を位置させる。この状態で、把持具Ｂの操作レバー７を主軸１の基端部側に引き寄せると、可動側把持片１３が固定側把持片１１側に移動する。この際、第１紐状体７６が可動側把持片１３の移動に伴って引っ張られ、第１及び第２滑車７２，７３が回動し、第２紐状体７７が引っ張られて、圧縮工具Ｃの係止リング５０を介してリンク機構部４５が作動して、可動ダイス３６が固定ダイス３３側に接触して、接続スリーブの一端部を圧縮し、一方の導体部と接続スリーブを電気的に接続する。その後、汎用のヤットコによって、他方の導体部に接続スリーブの他端部を挿入して、前記と同様に、圧縮装置Ａで接続スリーブの他端部を圧縮する。
【００６５】
（第２実施形態）
つぎに本発明の実施形態２に係る圧縮装置Ａ２について図８〜図１１を参照して説明する。これらの図において、把持具Ｂ、圧縮工具Ｃ、固定側及び可動側把持片取付部６２，６３、ガイド部６５の構成は同一であるため、これらの構成の説明は省略する。異なる点は、連結アダプタＤ２において、圧縮工具Ｃのリンク機構部４５の操作アーム４９が取り除かれて、ワイヤ９７がチューブ９６内に挿通されるインナーワイヤ９５を支持する第１及び第２支持板９０，９１と、圧縮工具Ｃの固定アーム３０の基端部と第１リンク４６の一端部の連結部に配置された滑車１０５とを新たに備えた点である。
【００６６】
第１支持板９０は、図８〜図１０に示すように、一側（図８を正面から見て左側）が他側（図８を正面から見て右側）に対して斜め下方に位置する形状を呈しており、一側に、後述するインナーワイヤ９５の一端部が固着されて配置されると共に、他側に、固定側把持片取付部６３、及び圧縮工具Ｃの角度調整部８０が配置されている。そして、第１支持板９０には、上述したガイド部６５の第１ガイド溝６７ａに連通する円弧状の連通孔９０ａが形成されている。
【００６７】
第２支持板９１は、圧縮工具Ｃの固定アーム３０に固着された水平部９１ａと、該水平部９１ａの端部から斜め上方に延出された折曲部９１ｂとを有している。そして、折曲部９１ｂの先端部に、後述するインナーワイヤ９５のチューブ９６の他端部が斜め上方に向くように固着されている。また、チューブ９６の他端部から引き出されたワイヤ９７の他端部にテンションが係るように、ワイヤ９７の他端部は滑車１０５に巻き掛けられて、第２可動アーム３７の基端部に固着されている。
【００６８】
インナーワイヤ９５は、図８及び図１１に示すように、圧縮ストロークに相当する長さに切断された合成樹脂製のチューブ９６と、該チューブ９６に挿通された、該チューブ９６よりも長めに切断されたワイヤ９７と、チューブ９６の両端部に固着されると共に、ワイヤ９７が外部に導出されるキャップ９８と、ガイド体６６に固着される雌ねじ部９９と、該雌ねじ部９９に螺合すると共に、頭部に形成された凹部１００ａにキャップ９８が挿入される雄ねじ部１００と、雌ねじ部９９の底部と雄ねじ部１００の軸部の端面との間に介挿されたバネ１０１とを有している。そして、雄ねじ部１００の長さを調整することで、ワイヤ９７の引き出し長さの微調整が行えるようになっている。また、ワイヤ９７の一端部が可動側把持片取付部６２の接続部に連結されると共に、他端部が第２支持板９１に固着されている。
【００６９】
滑車１０５は、第２支持板９１の折曲部９１ｂの先端部、及び、圧縮工具Ｃの第２可動アーム３７の基端部よりも高位置に配置されている。したがって、チューブ９６から引き出されたワイヤ９７の他端部側は、滑車１０５の溝に巻き掛けることによってテンションが掛けられた状態で第２可動アーム３７に固着されている。インナーワイヤ９５及び滑車１０５によって、伝達機構部７００が構成されている。
【００７０】
つぎに第２実施形態に係る圧縮装置Ａの使用態様について説明する。図８の状態で使用される。即ち、連結アダプタＤ２には、固定側把持片１１に対して可動側把持片１３が開状態で固定側及び可動側把持片取付部６２，６３に接続固定されている。そして、圧縮工具Ｃの固定及び可動ダイス３３，３６も離間した状態にあって、インナーワイヤ９５のワイヤ９７はやや引っ張られた状態にあって、テンションが掛けられた状態になっている。
【００７１】
この状態で、一方の作業者が、絶縁被覆が剥離された一方の電線の導体部に接続スリーブの一端部を挿入する。そして、他方の作業者が、接続スリーブの一端部の外周面の近傍に、圧縮工具Ｃの固定及び可動ダイス３３，３６を位置させる。この状態で、把持具Ｂの操作レバー７を主軸１の基端部側に引き寄せると、可動側把持片１３が固定側把持片１１側に移動して、ワイヤ９７の一端部が引っ張られて、第２可動アーム３７が回動すると共に、第１可動アーム３５が回動し、可動ダイス３６が固定ダイス３３側に移動して、接続スリーブの一端部が圧縮され、一方の導体部と接続スリーブの一端部が電気的に接続される。その後、汎用のヤットコによって、電線の他方の導体部に接続スリーブの他端部を挿入して、前記と同様に、圧縮装置Ａで接続スリーブの他端部を圧縮する。
【００７２】
なお、本発明は、前記各実施形態に限定されることなく、発明の要旨を逸脱しない限りにおいて、適宜、必要に応じて、設計変更や改良等を行うのは自由であり、また、その構成の組み合わせも自由である。
【００７３】
例えば、前記実施形態では、既存の把持具Ｂ及び圧縮工具Ｃを用いるようにしたが、図１２に示すように、手元の操作レバーの開閉操作で、遠隔位置の被圧縮物を圧縮できる構成の圧縮装置であってもよい。
【００７４】
該圧縮装置Ａ３を具体的に説明すると、前記各実施形態１，２と同一構成の手元操作部（図示せず）と、主軸１の先端部に一体化されて形成された支持板６００と、該支持板６００の下部に、手元操作部の操作レバーに連結されて回動する始動レバー１１０と、支持板６００の左側上部に配置された小径の第１滑車１２０と、該第１滑車１２０に同心状に配置された第２滑車１２１と、支持板６００の下側及び右側上部に配置された第３及び第４滑車１２２，１２３と、右端部に取り付けられた圧縮工具Ｃと、一端部が始動レバー１１０の先端部に固着されると共に、他端部が第１滑車１２０に巻き掛けられて固着された第１紐状体１３０と、一端部が第２滑車１２１に固着されると共に、他端部が第３滑車１２２、第４滑車１２３を介して圧縮工具Ｃの第２可動アーム３７の端部に固着された第２紐状体１３１とを備えている。始動レバー１１０、第１〜第４滑車１２０〜１２３、第１及び第２紐状体１３０，１３１によって伝達機構部１４０が構成されている。
【００７５】
そして、手元操作部の操作レバーが操作されると、始動レバー１１０が時計方向に回動し、第１紐状体１３０を介して第１及び第２滑車１２０，１２１が反時計方向に回動し、第２紐状体１３１が引っ張られて、圧縮工具Ｃの第２可動アーム３７が反時計方向に回動し、第１可動アーム３５によって、接続スリーブの圧縮が行われる。
【符号の説明】
【００７６】
１…主軸、２…手元操作部、３…絶縁傘、４…ゴムキャップ、６…固定具、７…操作レバー、８…鶴巻バネ、９…連結部、１０…把持具ユニット、１１…固定側把持片、１２…支軸、１３…可動側把持片、１１ａ，１３ａ…把持部、２０…把持片操作部、２１…連結軸、２２…先端ジョイント、２３…基端ジョイント、３０…固定アーム、３１…固定圧縮部、３２…回動板、３３…固定ダイス、３４…凹部、３５…第１可動アーム、３６…可動ダイス、３７…第２可動アーム（アーム操作部）、４０…ロック・解除機構部、４１…ラチェット歯、４２…係止爪、４３…解除ピン、４５…リンク機構部（アーム操作部）、４６…第１リンク、４７…第２リンク、４８…鶴巻バネ、４９…操作アーム、５０…係止リング、５５…連結フレーム、５５ａ…下端部、５５ｂ…上端部、５６…菊座（角度調整部）、６０…支持板、６０ａ，９０ａ…連通孔、６１…把持片取付部（接続部材）、６２…可動側把持片取付部（接続部材）、６２ａ…本体、６２ｂ…空洞部、６２ｃ…挿通部、６２ｄ…バネ、６２ｅ，６３ｅ…係止ピン、６２ｆ…挿通孔、６２ｇ…ガイドピン、６３…固定側把持片取付部、６５…ガイド部、６５ａ…後壁部、６５ｂ…周壁部、６５ｃ…前壁部、６７ａ…第１ガイド溝、６８ａ…第２ガイド溝、７０，７００…伝達機構部、７１…滑車ユニット、７２〜７４…滑車、７５…紐状体、７６…第１紐状体、７７…第２紐状体、８０…圧縮工具取付部（角度調整部）、８１…菊座、８２…ネジ軸、８３…蝶ネジ、９０…第１支持板、９１…第２支持板、９１ａ…水平部、９１ｂ…折曲部、９５…インナーワイヤ、９６…チューブ、９７…ワイヤ、９８…キャップ、９９…雌ねじ部、１００…雄ねじ部、１００ａ…凹部、１０１…バネ、１０５…滑車、１１０…始動レバー、１２０…第１滑車、１２１…第２滑車、１２２…第３滑車、１２３…第４滑車、１３０…第１紐状体、１３１…第２紐状体、１４０，７００…伝達機構部、Ａ１，Ａ２…圧縮装置、Ｂ…把持具、Ｃ…圧縮工具、Ｄ１，Ｄ２…連結アダプタ
【図１】
2011182549.tif 000003
【図２】
2011182549.tif 000004
【図３】
2011182549.tif 000005
【図４】
2011182549.tif 000006
【図５】
2011182549.tif 000007
【図６】
2011182549.tif 000008
【図７】
2011182549.tif 000009
【図８】
2011182549.tif 000010
【図９】
2011182549.tif 000011
【図１０】
2011182549.tif 000012
【図１１】
2011182549.tif 000013
【図１２】
2011182549.tif 000014